(57)【要約】【課題】本発明は、電源供給時に発生する残留電力を有効利用する。【解決手段】電源装置１は、電源ケーブル４及びロッカスイッチ３を通して取り込んだ外部電源電力から、電力生成部２で、内部で利用する内部電源電力を生成するとともに、該内部電源電力の生成に伴って残留電荷が該電力生成部２に蓄積される。ロッカスイッチ３は、外部からの操作に応じて、電源ケーブル４からの外部電源電力の電力生成部２への供給／供給遮断を行うとともに、該外部電源電力の電力生成部２への供給遮断時に、該電力生成部２を蓄電部５へ接続する。【選択図】          図１
2015022529.tif 000002
【特許請求の範囲】
【請求項１】
外部電源電力を取り込む外部電力取込手段と、
前記外部電源電力から内部で利用する内部電源電力を生成するとともに、該内部電源電力の生成に伴って電荷が蓄電される内部電源電力生成手段と、
電荷を蓄電する蓄電手段と、
外部からの操作に応じて、前記外部電源電力の前記内部電源電力生成手段への供給／供給遮断を行うとともに、該外部電源電力の該内部電源電力生成手段への供給遮断時に、該内部電源電力生成手段を前記蓄電手段へ接続するスイッチ手段と、
を備えていることを特徴とする電源装置。
【請求項２】
前記スイッチ手段は、
前記内部電力生成手段を前記外部電力取込手段と前記蓄電手段とに択一的に接続するロッカスイッチであることを特徴とする請求項１記載の電源装置。
【請求項３】
前記電源装置は、
前記蓄電手段と前記スイッチ手段との間に、前記内部電源電力生成手段からの電力を整流する整流手段を備えていることを特徴とする請求項１または請求項２記載の電源装置。
【請求項４】
前記蓄電手段は、
適宜の負荷に接続され、該負荷に負荷電流を供給することを特徴とする請求項１から請求項３のいずれかに記載の電源装置。
【請求項５】
前記電源装置は、
前記蓄電手段と前記負荷との間に、定電流手段と定電圧手段のうち、少なくともいずれかが接続されていることを特徴とする請求項４記載の電源装置。
【請求項６】
電源部で、外部電源電力から内部電源電力を生成して、該内部電源電力を利用して動作する電気機器であって、
前記電源部として請求項１から請求項５のいずれかに記載の電源装置を備えていることを特徴とする電気機器。
【請求項７】
前記電気機器は、
前記電源装置の前記蓄電手段から負荷電流が供給される負荷として、該電気機器の内部を冷却する冷却ファン、該電気機器の内部へ外気を導入する通気口に配設されているイオン伝導アクチュエータ、該電気機器の発熱部分に配設されている電源供給が遮断されたことを通知する通知手段、外電機器器内部の埃を収集するセラミックスプレートのうち、少なくともいずれかを備えていることを特徴とする請求項６記載の電気機器。
【請求項８】
前記電気機器は、
前記内部電源電力を利用して、電子写真方式で画像形成する画像処理装置であって、
前記電源装置の前記蓄電手段から負荷電流が供給される負荷として、前記電子写真方式で使用されるトナーのうち不要トナーを吸着するセラミックスプレートを備えていることを特徴とする請求項６記載の画像処理装置。
【請求項９】
外部電力取込手段で、外部電源電力を取り込む外部電力取込処理ステップと、
内部電源電力生成手段で、前記外部電源電力から内部で利用する内部電源電力を生成するとともに、該内部電源電力の生成に伴って該内部電源電力生成手段に電荷が蓄電される内部電源電力生成処理ステップと、
蓄電手段に電荷を蓄電する蓄電処理ステップと、
スイッチ手段で、外部からの操作に応じて、前記外部電源電力の前記内部電源電力生成手段への供給／供給遮断を行うとともに、該外部電源電力の該内部電源電力生成手段への供給遮断時に、該内部電源電力生成手段を前記蓄電手段へ接続するスイッチ処理ステップと、
を有していることを特徴とする電源制御方法。
【発明の詳細な説明】
【技術分野】
【０００１】
本発明は、電源装置、電気機器、画像処理装置及び電源制御方法に関し、詳細には、電源供給時に発生する電荷を有効利用する電源装置、電気機器、画像処理装置及び電源制御方法に関する。
【背景技術】
【０００２】
商用電源電力等の外部電源電力を利用した電気機器、例えば、ファクシミリ装置、複写装置、複合装置、プリンタ装置、プロジェクタ装置等の画像処理装置、コンピュータ、その他の電気機器は、商用電源電力から内部で利用する電力に変換する電源部を備えている。
【０００３】
このような電気機器の電源部は、コンデンサやコイル等の蓄電を伴うデバイス（以下、適宜、蓄電デバイスという。）を備えた電力生成部によって外部電源電力から内部電源電力を生成する。そして、電気機器は、商用電源電力のコンセントに差し込まれるプラグの接続されている電源ケーブルと、電力生成部との間に、外部電源電力の電力生成部への供給／供給遮断を行う電源スイッチと、を備えている。
【０００４】
そして、電気機器は、電源スイッチがオン／オフされることで、電源ケーブルを通して電力生成部に供給された商用電源電力を、電力生成部で、整流、電圧変換、電流変換等を行って内部電源電力を生成して、該内部電源電力を、内部の負荷回路に供給する。
【０００５】
ところが、電気機器は、電源スイッチのオフ時等に、電源部の蓄電デバイスに残留する蓄電電荷が、負荷回路等に不具合を発生させる等の問題がある。そこで、従来から、この蓄電デバイスに残留する電荷の処理について、種々提案されている。
【０００６】
例えば、コンデンサで平滑された直流電源を出力する第１電源と、第１電源の電圧より低い直流電圧で、電源オフにて前記第１電源より遅れて０Ｖに低下する第２電源とを有するものにおいて、前記第１電源と接地との間にトランスの一次巻線をサイリスタを介して接続し、二次巻線をダイオードを介して前記第２電源と接地との間に接続すると共に、電源オフにて前記サイリスタをオンにする制御回路を設け、前記サイリスタのオンにて二次巻線に誘起されダイオードで整流された電圧が前記第２電源に放流されるようにした残留電荷放電回路が提案されている（特許文献１参照）。
【０００７】
すなわち、この従来技術は、電源オフ時、平滑コンデンサの電荷を、トランスを用いて放電させて、温度ヒューズ内蔵抵抗器の過負荷による発熱・断線（溶解）の防止を図っている。
【発明の概要】
【発明が解決しようとする課題】
【０００８】
しかしながら、上記従来技術にあっては、電源部の蓄電デバイスの蓄電電荷による内部部品の劣化等を防止することはできるが、蓄電デバイスの蓄電電荷を、単に速やかに放電しているのみであり、消費電力の削減の予防されている今日、改良の必要があった。
【０００９】
そこで、本発明は、電力生成手段の蓄電電荷を有効利用することを目的としている。
【課題を解決するための手段】
【００１０】
上記目的を達成するために、請求項１記載の電源装置は、外部電源電力を取り込む外部電力取込手段と、前記外部電源電力から内部で利用する内部電源電力を生成するとともに、該内部電源電力の生成に伴って電荷が蓄電される内部電源電力生成手段と、電荷を蓄電する蓄電手段と、外部からの操作に応じて、前記外部電源電力の前記内部電源電力生成手段への供給／供給遮断を行うとともに、該外部電源電力の該内部電源電力生成手段への供給遮断時に、該内部電源電力生成手段を該蓄電手段へ接続するスイッチ手段と、を備えていることを特徴としている。
【発明の効果】
【００１１】
本発明によれば、電力生成手段の蓄電電荷を有効利用することができる。
【図面の簡単な説明】
【００１２】
【図１】本発明の一実施例を適用した電源装置の概略構成図。
【図２】蓄電部の回路構成を示した電源装置の構成図。
【図３】蓄電部に負荷が接続されている状態の電源装置の構成図。
【図４】負荷としてのイオン伝導アクチュエータの一例を示す図。
【図５】図４のイオン伝導アクチュエータが通気口を開いている状態の一例を示す図。
【図６】負荷としての冷却ファンの一例を示す図。
【図７】負荷としてのセラミックスプレートの一例を示す図。
【図８】負荷としての警告ランプの一例を示す図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図８は、本発明の電源装置、電気機器、画像処理装置及び電源制御方法の一実施例を示す図であり、図１は、本発明の電源装置、電気機器、画像処理装置及び電源制御方法の一実施例を適用した電源装置１の概略構成図である。
【００１５】
図１において、電源装置１は、電力生成部２、ロッカスイッチ３、電源コード４及び蓄電部５等を備えている。電源装置１は、電気機器、例えば、ファクシミリ装置、複写装置、複合装置、プリンタ装置、プロジェクタ装置等の画像処理装置、コンピュータ等に適用される。
【００１６】
電源コード（外部電力取込手段）４は、図示しない先端に、プラグが接続されており、該プラグは、商用のＡＣ（交流）１００Ｖ等の外部電源電力のコンセントに挿入される。電源コード４は、ロッカスイッチ３に接続されており、該プラグが外部電源電力のコンセントに挿入されることで、外部電源電力を電源装置１内に取り込む。
【００１７】
ロッカスイッチ（スイッチ手段）３は、電力生成部２側に、１対のコモン端子３ｃが設けられており、対向側に、ノーマルオープン端子３ｎｏとノーマルクローズ端子３ｎｃ及びラインオープン端子３ｌｏとラインクローズ端子３ｌｃが設けられている。ロッカスイッチ３は、コモン端子３ｃに常時接続する切替接片３ｔが、ユーザの操作に応じて、オープン端子３ｎｏ、３ｌｏ側と、クローズ端子３ｎｃ、３ｌｃ側とに選択的に切り替わって接続する。
【００１８】
ロッカスイッチ３は、そのノーマルオープン端子３ｎｏとラインオープン端子３ｌｏに、電源コード４が接続されており、そのノーマルクローズ端子３ｎｃとラインクローズ端子３ｌｃに、蓄電部５が接続されている。
【００１９】
すなわち、電源装置１は、電気機器の電源装置として適用されて、ロッカスイッチ３は、その電気機器の電源のオン／オフ（外部電源電力の供給／供給遮断）を行う電源スイッチとして利用される。そして、ロッカスイッチ３は、オン操作されると、切替接片３ｔが、電力生成部２に接続されているコモン端子３ｃを、電源コード４に接続されているノーマルオープン端子３ｎｏとラインオープン端子３ｌｏに接続する。ロッカスイッチ３は、オフ操作されると、切替接片３ｔが、電力生成部２に接続されているコモン端子３ｃを、蓄電部５に接続されているノーマルクローズ端子３ｎｃとラインクローズ端子３ｌｃに接続する。すなわち、ロッカスイッチ３は、コモン端子３ｃに接続されている電力生成部２に対して、ノーマルオープン端子３ｎｏとラインオープン端子３ｌｏ及びノーマルクローズ端子３ｎｃとラインクローズ端子３ｌｃによって、電源コード４と蓄電部５が並列に接続されている。
【００２０】
したがって、ロッカスイッチ３は、オフ状態からオン状態に切り替えられると、ノーマルオープン端子３ｎｏとラインオープン端子３ｌｏ、切替接片３ｔ及びコモン端子３ｃを介して、電源コード４から取り込まれている外部電源電力を電力生成部２に供給する。
【００２１】
電力生成部（電力生成手段）２は、スイッチングトランジスタ、トランス、静電容量の大きいコンデンサ等を備えており、トランスやコンデンサ等の大きな蓄電デバイスを備えている。電力生成部２は、ロッカスイッチ３を介して供給される外部電源電力（本実施例では、ＡＣ１００Ｖの商用電源電力）を整流、変圧して、電源装置１の適用される電気機器内で利用する５Ｖ、２４Ｖ等のＤＣ（直流）電力や高電圧のＡＣ電力を生成して供給する。
【００２２】
また、ロッカスイッチ３は、オン状態からオフ状態に切り替えられると、コモン端子３ｃ、切替接片３ｔ及びノーマルクローズ端子３ｎｃとラインクローズ端子３ｌｃを介して、電力生成部２を、外部電源電力から切り離して蓄電部５に接続する。電力生成部２は、ロッカスイッチ３を介して蓄電部５に接続されると、内部の上記蓄電素子に蓄電されている蓄電電荷を放電電流として該ロッカスイッチ３を通して蓄電部５に供給する。
【００２３】
蓄電部５は、例えば、図２に示すように、蓄電器５ｃと整流器５ｓを備えている。整流器（整流手段）５ｓは、例えば、４つのダイオードをブリッジ状に接続した両波整流器が用いられており、ブリッジの対角位置にロッカスイッチ３のノーマルクローズ端子３ｎｃとラインクローズ端子３ｌｃが接続されている。整流器５ｓは、ロッカスイッチ３を通して電力生成部２から供給される放電電流を、整流して蓄電器５ｃに供給する。
【００２４】
蓄電器（蓄電手段）５ｃは、例えば、所定容量の蓄電コンデンサが用いられており、整流器５ｓから供給される放電電流を蓄電する。
【００２５】
そして、蓄電部５は、図３に示すように、定電流／定電圧部６を介して負荷１０に接続される。定電流／定電圧部（定電流手段、定電圧手段）６は、蓄電部５から負荷１０に供給される負荷電力を定電流化、定電圧化のうち、少なくともいずれかの処理を施して、負荷１０に供給する。定電流／定電圧部６は、定電流部が、例えば、ＦＥＴ（Field Effect Transistor ）とダイオード、あるいは、トランジスタとツェナーダイオードの組み合わせ等の差動増幅回路を用いて構成される。また、定電流／定電圧部６は、定電圧部が、例えば、３端子レギュレータ、あるいは、トランジスタとツェナーダイオードとオペアンプの組み合わせ等の定電圧回路が用いられる。なお、定電流／定電圧部６は、定電流部のみ、あるいは、定電圧部のみだけであってもよい。
【００２６】
負荷１０は、種々の負荷を用いることができ、例えば、図４及び図５に示すように、電源装置１が適用された電気機器の本体筐体１１に形成されている通気口１１ａを覆うように取り付けられたイオン伝導アクチュエータ１０ａであってもよい。なお、図４及び図５は、電気機器として、電子写真方式のプリンタ装置（画像処理装置）に適用した場合が示されており、該プリンタ装置の定着部１１ｂが示されている。定着部１１ｂは、内部に収納されている定着ヒータによって所定の定着温度に加熱される定着ローラ１１ｃと、定着ローラ１１ｃに所定圧で接触する加圧ローラ１１ｄを備えている。定着部１１ｂは、定着ローラ１１ｃが反時計方向に回転駆動されることで、加圧ローラ１１ｄが時計方向に回転して、図示しない画像形成部でトナー画像の転写された用紙Ｐを加熱加圧しつつ搬送することで、用紙Ｐ上のトナー画像を用紙Ｐに定着させる。したがって、プリンタ装置の本体筐体１１内は、温度が上昇するため冷却する必要があり、本体筐体１１に通気口１１ａが形成されている。プリンタ装置の本体筐体１１は、この通気口１１ａを塞ぐ状態でイオン伝導アクチュエータ１０ａが取り付けられている。イオン伝導アクチュエータ１０ａは、面形状のイオン交換樹脂の表裏面に金電極が施されたもので、通電によって、金電極の施されている表裏面で、イオンが移動することによって発生するイオン交換樹脂の膨潤差によって、表裏面方向に変形する。イオン伝導アクチュエータ１０ａは、通電されていないときには、図４に示すように、通気口１１ａを閉じた状態となり、通電されると、図５に示すように変形して、通気口１１ａを開いた状態となる。そして、電源装置１は、蓄電部５に蓄電した蓄電電荷を利用して、負荷電力を定電流／定電圧部６を介して負荷１０としてのイオン伝導アクチュエータ１０ａに通電する。
【００２７】
また、負荷１０は、例えば、図６に示すように、電気機器であるプリンタ装置の本体筐体１１に形成された通気口１１ｅに取り付けられた冷却ファン１０ｂであってもよい。なお、図６は、図４及び図５と同様のプリンタ装置の本体筐体１１内に収納されている定着部１１ｂの上部に形成されている通気口１１ｅに冷却ファン１０ｂが取り付けられている。冷却ファン１０ｂは、通電されることによって回転駆動して、本体筐体１１内の空気を外部に排出して、本体筐体１１内を冷却する。そして、電源装置１は、蓄電部５に蓄電した蓄電電荷を利用して、負荷電力を定電流／定電圧部６を介して負荷１０としての冷却ファン１０ｂに通電する。
【００２８】
さらに、負荷１０は、例えば、図７に示すように、電気機器である電子写真方式のプリンタ装置の画像形成部１１ｆにおける不要トナーを収集することを目的とするセラミックスプレート１０ｃであってもよい。なお、図７は、図４から図６と同様の電子写真方式のプリンタ装置に適用されている場合が示されている。図７において、画像形成部１１ｆは、３つの搬送ローラ１１ｇによって転写ベルト１１ｈが時計方向に回転可能に支持されており、１つの搬送ローラ１１ｇと転写ベルト１１ｈを挟んで対向する位置に転写ローラ１１ｉが配設されている。画像形成部１１ｆは、さらに、転写ローラ１１ｉの下方であってその近傍に、２枚のセラミックスプレート１０ｃが配設されており、転写ローラ１１ｉとは反対側の転写ベルト１１ｈの上部には、感光体１１ｊが配設されている。画像形成部１１ｆは、静電潜像の形成された感光体１１ｊにトナーｔｎが付与されて形成されたトナー画像ｔｎを、搬送ローラ１１ｇによって時計方向に回転されている転写ベルト１１ｈに転写する。画像形成部１１ｆは、転写ベルト１１ｈに転写したトナー画像を、転写ローラ１１ｉによって、該転写ローラ１１ｉと転写ベルト１１ｈとの間に搬送されてくる用紙Ｐに転写する。そして、転写ベルト１１ｈは、転写ローラ１１ｉと対向する搬送ローラ１１ｇに向かって下方に搬送され、定着が完了すると、転写ローラ１１ｉから離れる上方に向かって上昇する。すなわち、転写ベルト１１ｈは、転写ローラ１１ｉと対向する搬送ローラ１１ｇを折り返し点として、搬送される。画像形成部１１ｆは、転写ローラ１１ｉの下方近傍にセラミックスプレート１０ｃが配設されており、セラミックスプレート１０ｃは、転写ベルト１１ｈから用紙Ｐへのトナー画像の転写等のときに飛散したトナーを吸着して収集する。すなわち、セラミックスプレート１０ｃは、内部に電極が埋め込まれており、多少導電性を有するセラミックスが用いられている。したがって、セラミックスプレート１０ｃは、蓄電部５から定電流／定電圧部６を介して負荷電力が供給されると、その表面近傍に電荷が発生し、転写ベルト１１ｈから用紙Ｐへのトナー画像の転写時に飛散したトナーを吸着して収集する。また、セラミックスプレート１０ｃは、電気機器の内部に浮遊する埃を収集して吸着する。
【００２９】
また、負荷１０は、例えば、図８に示すように、電気機器である電子写真方式のプリンタ装置の高温部等の触れることを抑制した方がよい非接触部分に設けられた警告ランプ（通知手段）１０ｄであってもよい。なお、図８は、図４から図６と同様の電子写真方式のプリンタ装置に適用されている場合が示されている。図８において、定着部１１ｂは、上述のように、内部に収納されている定着ヒータによって所定の定着温度に加熱される定着ローラ１１ｃと、定着ローラ１１ｃに所定圧で接触する加圧ローラ１１ｄを備えている。定着部１１ｂは、定着ローラ１１ｃの周囲を覆う状態で、定着カバー１１ｋが配設されており、定着カバー１１ｋの上部に、警告ランプ１０ｄが取り付けられている。
【００３０】
定着部１１ｂは、動作時に、定着ローラ１１ｃが、内蔵の定着ヒータによって定着温度に発熱して、加圧ローラ１１ｄとの間に搬送されてくる用紙Ｐを加熱しつつ搬送することで、用紙Ｐ上のトナー画像を該用紙Ｐに定着させる。
【００３１】
警告ランプ１０ｄは、蓄電部５から定電流／定電圧部６を介して負荷電力が供給されると、点灯または点滅して、警告を発生する。したがって、定着部１１ｂは、動作中に、発熱して触ると危険なときに、蓄電部５から定電流／定電圧部６を介して負荷電力が供給されると、点灯または点滅して、警告を発生させて、安全を確保することができる。
【００３２】
次に、本実施例の作用について説明する。本実施例の電源装置１は、電力生成手段である電力生成部２の蓄電電荷を有効利用する。
【００３３】
電源装置１は、画像処理装置やコンピュータ等の電気機器に適用され、その電源コード４のプラグが、商用ＡＣ１００Ｖ等の外部電源電力のコンセントに挿入されて、該外部電源電力を装置内に取り込む。
【００３４】
電源コード４は、ロッカスイッチ３のノーマルオープン端子３ｎｏとラインオープン端子３ｌｏに接続されている。
【００３５】
ロッカスイッチ３は、そのノーマルクローズ端子３ｎｃとラインクローズ端子３ｌｃが蓄電部５に接続されており、そのコモン端子３ｃが、電力生成部２に接続されている。
【００３６】
ロッカスイッチ３は、切替接片３ｔが、常時、コモン端子３ｃに接続されている。ロッカスイッチ３は、オン操作されると、切替接片３ｔがコモン端子３ｃをノーマルオープン端子３ｎｏとラインオープン端子３ｌｏに接続、すなわち、電源コード４を電力生成部２に接続する。
【００３７】
電力生成部２は、スイッチ３がオン操作されると、電源コード４及びロッカスイッチ３を介して供給される外部電源電力から電気機器の内部で使用する内部電力を生成して、電気機器の各部に供給する。電気機器、例えば、画像処理装置は、該内部電力を利用して、画像形成動作等の画像処理動作を行う。電力生成部２は、トランスやコンデンサ等の大きな蓄電素子を備えており、外部電源電力から内部電力を生成する電力生成処理において、電荷（残留電力）が蓄電素子を中心とする内部回路内に蓄電される。
【００３８】
その後、電源装置１は、電気機器の使用が終了すると、ロッカスイッチ３がオフ操作される。ロッカスイッチ３は、オフ操作されると、切替接片３ｔがコモン端子３ｃをノーマルクローズ端子３ｎｃとラインクローズ端子３ｌｃに接続、すなわち、電力生成部２を蓄電部５に接続する。
【００３９】
電源装置１は、ロッカスイッチ３によって電力生成部２が蓄電部５に接続されると、電力生成部２内に蓄電されていた電荷がロッカスイッチ３を介して蓄電部５に放電電流として流れ、蓄電部５に蓄電される。
【００４０】
したがって、電源装置１は、電力生成部２が動作中に発生する電荷を、蓄電部５に蓄電することができ、電力生成部２の蓄電電荷を有効利用することができる。
【００４１】
また、蓄電部５は、全波整流方式の整流器５ｓを備えており、整流器５ｓは、ロッカスイッチ３を通して電力生成部２から供給される放電電流を、整流して蓄電器５ｃに供給する。
【００４２】
したがって、負荷１０として直流負荷を用いることができ、利用性を向上させることができる。また、全波整流方式の整流器５ｓを用いているため、整流効率を向上させることができる。
【００４３】
そして、電源装置１は、図３に示したように、定電流／定電圧部６を備えており、この定電流／定電圧部６を介して、蓄電部５が、電源装置１の適用される電気機器の負荷１０に接続される。
【００４４】
したがって、電源装置１は、蓄電部５に蓄電された蓄電電荷によって、負荷１０へ負荷電力を供給することができ、負荷１０を駆動動作させることができる。その結果、電力生成部２に残留した電荷を有効利用することができる。
【００４５】
電源装置１は、この負荷１０への負荷電力の供給ラインの途中に、定電流／定電圧部６が配設されている。定電流／定電圧部６は、蓄電部５から負荷１０に供給される負荷電力を定電流化、定電圧化のうち、少なくともいずれかの処理を施して、負荷１０に供給する。
【００４６】
したがって、負荷１０として、定電流負荷や定電圧負荷を用いることができ、利用性を向上させることができる。
【００４７】
そして、負荷１０としては、例えば、図４及び図５に示したように、電源装置１が適用される電気機器であるプリンタ装置の本体筐体１１の通気口１１ａを塞ぐように設けられたイオン伝導アクチュエータ１０ａを用いることができる。したがって、電源装置１の電源がオフのときにおいても、蓄電部５に蓄電した蓄電電荷を利用して、通気口１１ａを開閉することができ、プリンタ装置の性能を向上させることができるとともに、消費電力を削減することができる。
【００４８】
また、負荷１０としては、例えば、図６に示したように、電気機器であるプリンタ装置の本体筐体１１に形成された通気口１１ｅに取り付けられた冷却ファン１０ｂであってもよい。電源装置１は、蓄電部５に蓄電した蓄電電荷を利用して、負荷電力を定電流／定電圧部６を介して負荷１０としての冷却ファン１０ｂに通電し、冷却ファン１０ｂを回転駆動する。したがって、プリンタ装置が動作中に発生した熱を、電源装置１の電源がオフのときにおいても、蓄電部５に蓄電した蓄電電荷を利用して、冷却ファン１０ｂを駆動することができ、プリンタ装置の性能を向上させることができるとともに、消費電力を削減することができる。
【００４９】
さらに、負荷１０としては、例えば、図７に示したように、電気機器である電子写真方式のプリンタ装置の画像形成部１１ｆにおける不要トナーを収集するセラミックスプレート１０ｃであってもよい。画像形成部１１ｆは、転写ローラ１１ｉの下方近傍にセラミックスプレート１０ｃが配設されており、セラミックスプレート１０ｃは、転写ベルト１１ｈから用紙Ｐへのトナー画像の転写等のときに飛散したトナーを吸着して収集する。すなわち、セラミックスプレート１０ｃは、内部に埋め込まれている電極につく電部５から通電されると、その表面近傍に電荷が発生し、転写ベルト１１ｈから用紙Ｐへのトナー画像の転写時に飛散したトナーや埃等を吸着して収集する。したがって、プリンタ装置が動作中に発生した飛散トナーを、電源装置１の電源がオフのときにおいても、蓄電部５に蓄電した蓄電電荷をセラミックスプレート１０ｃへ供給して、セラミックスプレート１０ｃに吸着させることができる。その結果、プリンタ装置の性能を向上させることができるとともに、消費電力を削減することができる。
【００５０】
また、負荷１０としては、例えば、図８に示したように、電気機器である電子写真方式のプリンタ装置の高温部等の触れることを抑制した方がよい非接触部分に設けられた警告ランプ１０ｄであってもよい。定着ローラ１１ｃは、その周囲を覆う状態で、定着カバー１１ｋが配設されており、定着カバー１１ｋの上部に、警告ランプ１０ｄが取り付けられている。定着部１１ｂは、動作時に、定着ローラ１１ｃが、内蔵の定着ヒータによって定着温度に発熱して、加圧ローラ１１ｄとの間に搬送されてくる用紙Ｐを加熱しつつ搬送することで、用紙Ｐ上のトナー画像を該用紙Ｐに定着させる。警告ランプ１０ｄは、蓄電部５から定電流／定電圧部６を介して負荷電力が供給されると、点灯または点滅して、警告を発生する。したがって、定着部１１ｂは、動作中に、発熱して触ると危険なときに、蓄電部５から定電流／定電圧部６を介して負荷電力が供給されると、点灯または点滅して、警告を発生させて、安全を確保することができる。
【００５１】
このように、本実施例の電源装置１は、外部電源電力を取り込む電源ケーブル（外部電力取込手段）４と、前記外部電源電力から内部で利用する内部電源電力を生成するとともに、該内部電源電力の生成に伴って電荷が蓄電される電力生成部（内部電源電力生成手段）２と、電荷を蓄電する蓄電部（蓄電手段）５と、外部からの操作に応じて、前記外部電源電力の電力生成部２への供給／供給遮断を行うとともに、該外部電源電力の電力生成部２への供給遮断時に、電力生成部２を蓄電部５へ接続するロッカスイッチ（スイッチ手段）３と、を備えている。
【００５２】
したがって、外部電源電力から内部電源電力を生成する際に電力生成部２内に蓄電される電荷を蓄電部５に蓄電させることができ、電力生成部２に蓄電される電荷による電気機器への不具合の発生を防止しつつ、電荷を有効利用することができる。
【００５３】
また、本実施例の電源装置１は、電源ケーブル（外部電力取込手段）４で、外部電源電力を取り込む外部電力取込処理ステップと、電力生成部（内部電源電力生成手段）２で、前記外部電源電力から内部で利用する内部電源電力を生成するとともに、該内部電源電力の生成に伴って該電力生成部２に電荷が蓄電される内部電源電力生成処理ステップと、蓄電部（蓄電手段）５に電荷を蓄電する蓄電処理ステップと、ロッカスイッチ（スイッチ手段）３で、外部からの操作に応じて、前記外部電源電力の電力生成部２への供給／供給遮断を行うとともに、該外部電源電力の該電力生成部２への供給遮断時に、該電力生成部２を蓄電部５へ接続するスイッチ処理ステップと、を有している電源制御方法を実行している。
【００５４】
したがって、外部電源電力から内部電源電力を生成する際に電力生成部２内に蓄電される電荷を蓄電部５に蓄電させることができ、電力生成部２に蓄電される電荷による電気機器への不具合の発生を防止しつつ、電荷を有効利用することができる。
【００５５】
さらに、本実施例の電源装置１は、前記スイッチ手段が、電力生成部２を電源ケーブル４と蓄電部５とに択一的に接続するロッカスイッチ３である。
【００５６】
したがって、簡単な構成で、電力生成部２内に蓄電される電荷を蓄電部５に蓄電させることができ、安価に、電力生成部２に蓄電される電荷による電気機器への不具合の発生を防止しつつ、電荷を有効利用することができる。
【００５７】
また、本実施例の電源装置１は、蓄電部５とロッカスイッチ３との間に、電力生成部２からの電力を整流する整流器５ｓを備えている。
【００５８】
したがって、負荷１０として直流負荷を用いることができ、利用性を向上させることができる。また、本実施例では、特に、整流器として、全波整流方式の整流器５ｓを用いているため、整流効率を向上させることができる。
【００５９】
さらに、本実施例の電源装置１は、蓄電部５が、適宜の負荷１０に接続され、該負荷１０に負荷電流を供給する。
【００６０】
したがって、蓄電部５に蓄電した電力を有効利用することができ、消費電力を削減することができる。
【００６１】
また、本実施例の電源装置１は、蓄電部５と負荷１０との間に、定電流手段と定電圧手段のうち、少なくともいずれかとして、定電流／定電圧部６が接続されている。
【００６２】
さらに、本実施例の電源装置１は、電源部で、外部電源電力から内部電源電力を生成して、該内部電源電力を利用して動作する電気機器に適用されている。
【００６３】
したがって、電気機器における電源部としての電源装置１の電荷を有効利用することができ、消費電力を削減することができる。
【００６４】
また、本実施例の電源装置１の適用されている電気機器は、電源装置１の蓄電部５から負荷電流が供給される負荷として、該電気機器の内部を冷却する冷却ファン１０ｂ、該電気機器の内部へ外気を導入する通気口１１ａに配設されているイオン伝導アクチュエータ１０ａ、該電気機器の発熱部分に配設されている電源供給が遮断されたことを通知する警告ランプ（通知手段）１０ｄ、外電機器器内部の埃を収集するセラミックスプレート１０ｃのうち、少なくともいずれかを備えている。
【００６５】
したがって、電力生成部２の電荷を利用して電気機器内の冷却、通気、危険の警告、埃の収集等に有効利用することができ、消費電力を削減することができる。
【００６６】
さらに、本実施例の電源装置１の適用されている電気機器が、前記内部電源電力を利用して、電子写真方式で画像形成するプリンタ装置（画像処理装置）であって、前記電源装置１の蓄電部５から負荷電流が供給される負荷として、前記電子写真方式で使用されるトナーのうち不要トナーを吸着するセラミックスプレート１０ｃを備えている。
【００６７】
したがって、電力生成部２の電荷を利用してプリンタ装置内に飛散する不要トナーや埃等を収集することができ、消費電力を削減することができる。
【００６８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００６９】
１  電源装置
２  電力生成部
３  ロッカスイッチ
３ｃ  コモン端子
３ｎｏ  ノーマルオープン端子
３ｎｃ  ノーマルクローズ端子
３ｌｏ  ラインオープン端子
３ｌｃ  ラインクローズ端子
４  電源コード
５  蓄電部
５ｃ  蓄電器
５ｓ  整流器
６  定電流／定電圧部
１０  負荷
１０ａ  イオン伝導アクチュエータ
１０ｂ  冷却ファン
１０ｃ  セラミックスプレート
１０ｄ  警告ランプ
１１  本体筐体
１１ａ  通気口
１１ｂ  定着部
１１ｃ  定着ローラ
１１ｄ  加圧ローラ
１１ｅ  通気口
１１ｆ  画像形成部
１１ｇ  搬送ローラ
１１ｈ  転写ベルト
１１ｉ  転写ローラ
１１ｊ  感光体
１１ｋ  定着カバー
【先行技術文献】
【特許文献】
【００７０】
【特許文献１】特開２０００−２４５１５２号公報
【図１】
2015022529.tif 000003
【図２】
2015022529.tif 000004
【図３】
2015022529.tif 000005
【図４】
2015022529.tif 000006
【図５】
2015022529.tif 000007
【図６】
2015022529.tif 000008
【図７】
2015022529.tif 000009
【図８】
2015022529.tif 000010